(57)【要約】  【課題】  スピーカ等の音声出力機器の取り付け位置，及び出力特性に応じて適切な音響特性を自動で得ることのできる音響特性調節装置及びテレビジョン受像機を提供することにある。  【解決手段】  音響機器における複数の取り付け位置に対する音声出力機器の取り付け状態を，ビス７の装着（螺着）有無により検知し，その検知結果に応じて，前記音声出力機器から出力される音声信号に対する音響特性の調節処理を行う音響特性調節装置，及びそれを具備するテレビジョン受像機として構成される。【選択図】  図３
2006109284.tif 000002
【特許請求の範囲】
【請求項１】
音響機器における複数の取り付け位置に対する音声出力手段の取り付け状態を検知する取り付け状態検知手段と，
前記取り付け状態検知手段による検知結果に基づいて前記音響機器から出力される音声信号に対する音響特性の調節処理を施す音響特性調節手段と，
を具備してなることを特徴とする音響特性調節装置。
【請求項２】
前記音声出力手段がビスにより前記取り付け位置に取り付けられるものであり，前記取り付け状態検知手段が前記ビスの装着有無の検知により前記音声出力手段の取り付け状態を検知してなる請求項１に記載の音響特性調節装置。
【請求項３】
前記取り付け位置各々に取り付けられる前記音声出力手段の出力特性が予め定められており，
前記音響特性調節装置による音響特性の調節処理が，前記音響機器に取り付けられた前記音声出力手段の出力特性に対応したものである請求項１又は２のいずれかに記載の音響特性調節装置。
【請求項４】
前記音響特性調節手段による音響特性の調節処理が，イコライズ処理及びサラウンド処理等の音質補正処理を含むものである請求項１〜３のいずれかに記載の音響特性調節装置。
【請求項５】
複数の取り付け位置のいずれかに音声出力手段が取り付け可能なテレビジョン受像機であって，
画像を表示する画像表示手段と，
請求項１〜４のいずれかに記載の音響特性調節装置と，を具備してなることを特徴とするテレビジョン受像機。
【請求項６】
前記複数の取り付け位置が，前記画像表示手段の両側の位置及び下側の位置である請求項５に記載のテレビジョン受像機。
【発明の詳細な説明】
【技術分野】
【０００１】
本発明は，音響機器における複数の取り付け位置に対する音声出力手段の取り付け状態に応じて，適切な音響特性を得ることのできる音響特性調節装置，及び複数の取り付け位置に音声出力手段を取り付けることが可能であり，前記音響特性調節装置を具備するテレビジョン受像機に関するものである。
【背景技術】
【０００２】
従来から，テレビジョン受像機等の音響機器（音響映像機器を含む）において，複数のスピーカ（音声出力機器）の配置状態，視聴者との位置関係等に応じて，スピーカ各々から出力される音声信号に対する音響特性の調節処理を施したり，スピーカの指向方向を調節する技術が広く知られ，用いられている。
例えば特許文献１には，テレビジョン受像機に接続された左右のスピーカの位置（テレビジョン受像機本体とスピーカとの距離）を検出し，その検出結果に基づいて音像定位を調節する技術が開示されている。
また，特許文献２には，リモコンから出力される超音波パルスを受信することで視聴者（リスナ）の位置を検出し，その検出結果に基づいてスピーカの指向性の主軸方向を調節する技術が開示されている。
【０００３】
ところで，音響機器によっては，スピーカの取り付け位置が複数設けられ，それらの取り付け位置にスピーカを複数の取り付けパターンで取り付け可能に構成されたものがある。例えば，音響機器の本体に対して左右に配置された取り付け位置に左右両スピーカを取り付けるパターンと，本体の下部に並べて配置された取り付け位置に左右両スピーカを並べて取り付けるパターンのうちのいずれかの取り付けパターンを選択できるテレビジョン受像機等がある。そのようなテレビジョン受像機等において，スピーカによる出力音声について適切な音響特性を得るには，スピーカの取り付けパターン（各取り付け位置へのスピーカの取り付け状態）に応じて，出力される音声信号に音質補正処理を施すこと等により，前記音声信号の音響特性を調節する必要がある。
例えば，本体の下部に左右両スピーカが並べて取り付けられる場合と，本体の左右の各々にスピーカ（対）が取り付けられる場合とでは，前者の場合の方がスピーカ（対）の間の間隔は狭くなる。従って，前者の場合に後者の場合と同様の臨場感（音の広がり感）を得るには，音声信号にサラウンド処理を施す，或いは音声信号に施すサラウンド処理（音質補正処理の一例であり，これにより音響特性の調節がなされる）による音声信号の広がり感をより強める必要がある。
【０００４】
また，音響機器に取り付けられるスピーカは，その取り付け位置によって出力特性（種類）が異なる場合があり，そのような場合，取り付け位置（スピーカ配置）の違いに基づく音響特性の調節に加えて，スピーカの出力特性の違いに基づく音響特性の調節も施す必要がある。
例えば，容量の小さいスピーカと容量の大きなスピーカとを比較すると，容量の小さいスピーカの方が低音部が出力されにくいため，容量の小さいスピーカを用いる際には，音声信号に対して低音部を強調するようなイコライズ処理（上述のサラウンド処理と同様，音質補正処理の一例）を施すことが望ましい。
従来，このようなスピーカの取り付け位置（取り付けパターン）に応じて音声信号に施すべき適切な音響特性の調節処理が異なる場合，例えば，スピーカの取り付けパターン各々に対応した音響特性調節処理ごとに，それをマイコンに実行させるためのプログラム或いは音響特性調節処理に用いるパラメータが記憶されたＲＯＭ等の記憶手段を用意し，出荷される音響機器に対するスピーカの取り付けパターンに応じて，対応するＲＯＭ等の記憶手段を選択してその音響機器に組み込んでいた。
或いは，音響機器に対する所定の調整操作により，スピーカの取り付けパターンに応じてどのような処理プログラム或いはパラメータを用いるべきかの設定操作を行っていた。
【特許文献１】特開平１１−１１３０９９号公報
【特許文献２】特開平０９−２３８３９０号公報
【発明の開示】
【発明が解決しようとする課題】
【０００５】
しかしながら，スピーカの取り付けパターンごとに，音響機器に組み込むプログラムやパラメータを変えたり，前記調整操作を行ったりすることは，プログラム等の管理上，及び組み立てや出荷の作業上，非常に手間であるという問題点があった。
また，前記調整操作を利用者に行わせると，利用者の利便性を悪化させるだけでなく，正しい調整がなされずに製品の品質評価を悪化させてしまうという問題点も生じ得た。
また，上述の特許文献１及び特許文献２には，音響機器における複数の取り付け位置に対するスピーカの取り付け状態（取り付けパターン）に応じて，音声信号に施す音響特性の調節を適切化するための技術については何ら示されていない。
従って，本発明は上記事情に鑑みてなされたものであり，その目的とするところは，音響機器に対するスピーカ等の音声出力機器の取り付け位置（取り付けパターン）が複数考えられる場合に，手間を要することなくスピーカの取り付け位置に応じた適切な音響特性を得ることができる音響特性調節装置，及び複数の取り付け位置に音声出力手段を取り付けることが可能であり，前記音響特性調節装置を具備するテレビジョン受像機を提供することにある。
【課題を解決するための手段】
【０００６】
上記目的を達成するために本発明は，音響機器における複数の取り付け位置に対する音声出力機器（音声出力手段）の取り付け状態を検知し，その検知結果に基づいて前記音声出力機器から出力される音声信号に対する音響特性の調節処理を行う，即ち，前記検知結果に応じて音声信号に対する音響特性の調節処理の内容（処理自体や処理に用いるパラメータ等）を変える音響特性調節装置として構成される。
これにより，前記音声出力機器を取り付けるだけで，その取り付け位置に応じた適切な音響特性の調節が行われるので，組み立て時や出荷時の作業者の手間，或いは利用者の手間を要することなくスピーカの取り付け位置に応じた適切な音響特性を得ることができる。また，スピーカの取り付け作業と別個独立してスピーカの取り付け状態を設定する場合のように，誤った設定が行われて製品の品質評価を悪化させてしまうことを防止できる。
【０００７】
通常，前記音声出力機器は，ビスにより前記取り付け位置に取り付けられる場合が多いが，この場合，前記ビスの装着有無（螺着の有無）の検知により前記音声出力機器の取り付け状態を検知するものが考えられる。
これにより，前記ビスが，前記音声出力機器の取り付けと，前記音声出力機器の取り付け状態の検知（例えば，スイッチ機構の押圧の役割）とに併用され，音響機器や音声出力機器に取り付け状態検知用の突起部等を設ける必要がなくなる。その結果，簡易かつ美観を損なわないよう構成できる。
【０００８】
更に，前記取り付け位置各々に取り付けられる前記音声出力機器の出力特性が予め定められており，上述の音響特性の調節処理がそれらの出力特性に応じたものであることが考えられる。
このような構成であれば，前記音声出力機器の取り付け状態の検知結果により，取り付けられている前記音声出力機器の出力特性が特定され，その出力特性に応じた適切な音響特性調節処理が自動的に設定（選択）される。
また，上述の音響特性の調節処理の一例としてイコライズ処理，サラウンド処理等の音質補正処理が考えられる。
例えば，取り付けられた前記音声出力機器の容量が小さく，低音領域の出力ゲインが低い（出力特性の一例）ものであることが特定された場合，イコライズ処理により低音領域をより強調することが考えられる。その他，ステレオ音声信号の右用及び左用の２つの音声出力機器が相対的に近い取り付け位置に取り付けられたことが検知された場合，それらが相対的に遠い取り付け位置に取り付けられた場合よりも，サラウンド処理によってより大きな広がり感を加えることも考えられる。
また，本発明は，複数の取り付け位置に音声出力機器が取り付け可能であり，上述のような音響特性調節装置を具備するテレビジョン受像機として捉えたものであってもよい。その場合，前記複数の取り付け位置は，当該テレビジョン受像機の有する画像表示部（画像表示手段）の両側及び下側の位置であることが考えられる。
【発明の効果】
【０００９】
本発明によれば，複数の取り付け位置のうちのいずれか１又は複数の位置に音声出力機器（スピーカ等）を取り付けるだけで，その取り付け状態が検出され，その検出結果に基づいて適切な音響特性の調節処理が行われる。その結果，組み立て時や出荷時の作業者の手間，或いは利用者の手間を要することなく音声出力機器の取り付け位置に応じた適切な音響特性が得られる。また，スピーカの取り付け作業と別個独立してスピーカの取り付け状態を設定する場合のように，誤った設定が行われて製品の品質評価を悪化させてしまうことを防止できる。
また，音声出力機器の取り付け用のビスの装着有無の検知により，音響機器や音声出力機器に取り付け状態検知用の突起部等を設ける必要がなくなり，簡易かつ美観を損なわないよう構成できる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る音響機器の一例であるテレビジョン受像機Ｘにおけるスピーカ無装着時とアンダースピーカ装着時とサイドスピーカ装着時の各々における概略背面図，図２はテレビジョン受像機Ｘが備える音響特性調節装置Ａを含む音声出力回路αの概略構成を表すブロック図，図３はテレビジョン受像機Ｘにおけるスピーカ（アンダースピーカ，サイドスピーカ）の取り付け状態検知機構を示す図，図４は音響特性調節装置Ａにおけるスピーカの取り付け状態の判別に基づく音質補正内容の設定処理の手順を示すフローチャートである。
【００１１】
図１（ａ）〜図１（ｃ）に示される，本発明の実施の形態に係る音響機器の一例であるテレビジョン受像機Ｘは，ユーザーの好みに応じて，音声信号を出力するスピーカの位置が異なる２タイプのモデルに対応するよう，左右一対のスピーカが，２組の異なる（複数の一例）取り付け位置のいずれかに取り付け可能に構成されている。即ち，図１（ｂ）に示されるように，前記テレビジョン受像機Ｘの有するディスプレイ（画像表示手段の一例）の下部のアンダースピーカ用取り付け位置１ａ，１ｂに，左右一対のアンダースピーカ５ａ，５ｂが取り付けられ，また，図１（ｃ）に示されるように前記テレビジョン受像機Ｘの有するディスプレイ（画像表示手段の一例）の左右（即ち，両側の位置）に位置するのサイドスピーカ用取り付け位置２ａ，２ｂに，左右一対のサイドスピーカ６ａ，６ｂが取り付けられる。
また，前記アンダースピーカ５ａ，５ｂ及び前記サイドスピーカ６ａ，６ｂのいずれも取り付けられないモデルも有る。この場合にも，音声信号の出力が可能なように，外部スピーカが接続される不図示の音声信号外部出力用インターフェースが設けられている。
各取り付け位置１ａ，１ｂ又は２ａ，２ｂに取り付けられる前記アンダースピーカ５ａ，５ｂ及び前記サイドスピーカ６ａ，６ｂ（音声出力手段の一例）は特定の種類のものが用いられており，その出力特性は予め定められたものである。即ち，スピーカの取り付け位置が検知されれば，そのスピーカの出力特性（種類）を特定できる。
【００１２】
スピーカが取り付けられるモデルでは，これらのスピーカ（前記アンダースピーカ５ａ，５ｂ，前記サイドスピーカ６ａ，６ｂ，音声出力手段の一例）のいずれか一方がビス７（図３参照）により各々対応する取り付け位置（１ａ，１ｂ，２ａ，２ｂ）にそれぞれ固定（取り付け）される。つまり，スピーカ各々に設けられている不図示のビス貫通孔を前記ビス７が貫通しつつ，前記ディスプレイの外面における前記取り付け位置（１ａ，１ｂ，２ａ，２ｂ）に設けられた不図示のビス穴各々に前記ビスが装着（螺着）されることにより，前記スピーカ各々が対応する前記取り付け位置（１ａ，１ｂ，２ａ，２ｂ）に固定される。
当該テレビジョン受像機Ｘ（音響機器の一例）における前記スピーカー各々の（複数の）前記取り付け位置（１ａ，１ｂ，２ａ，２ｂ）各々への取り付け状態は，前記取り付け位置１ａに位置する前記ビス穴が形成された外装の内側（装置内部）に設けられたアンダースピーカ取り付け状態検知機構３，及び前記取り付け位置２ａに位置する前記ビス穴が形成された外装の内側（装置内部）に設けられたサイドスピーカー取り付け状態検知機構４により検知され，これらの検知結果は，後述のマイコン８（図２参照）に入力信号として伝送される。
【００１３】
また，前記テレビジョン受像機Ｘは，上述のような２組の異なる取り付け位置に対するスピーカの取り付け状態を検知し，その検知結果（アンダースピーカ５ａ，５ｂが取り付けられているか，サイドスピーカ６ａ，６ｂが取り付けられているか，若しくはいずれも取り付けられていないか）に基づいて，取り付けられているスピーカから出力される音声信号に対する音響特性の調節処理を行う音響特性調節装置Ａ及び，それを含む音声出力回路αの概略構成を表すブロック図である。
図２に示されるように，前記音響特性調節装置Ａは，前記アンダースピーカ取り付け状態検知機構３，前記サイドスピーカ取り付け状態検知機構４に加え，マイコン８，音声補正ＤＳＰ９，ＥＥＰＲＯＭ１０等により構成される，また，前記音声出力回路αは前記音響特性調節装置Ａに加えてパワーアンプ１１，スピーカ（ＳＰ）ターミナル１２を具備している。
【００１４】
前記マイコン８は，ＭＰＵ及びその周辺機器であるＲＯＭ，ＲＡＭ等により構成され，当該テレビジョン受像機Ｘの統括的な制御を行うものであり，詳しくは後述する。
前記音質補正ＤＳＰ９は，不図示のチューナ及び検波回路によってテレビ放送信号から抽出され，前記テレビジョン受像機Ｘ（音響機器の一例）から出力される音声信号（Ｌ音声信号，及びＲ音声信号）に対し，前記マイコン８により設定される，音質補正の処理の種類及び処理の強度などを表した，詳しくは後述の設定値に応じて，前記音声信号にイコライズ処理，サラウンド処理を含む各種の音質補正処理を施し，これにより音響特性の調節を行うものである。
前記ＥＥＰＲＯＭ１０は前記設定値を予め記憶する記憶部である。
前記パワーアンプ１１は，前記音声信号の増幅処理を行うものである。
前記ＳＰターミナル１２は，前記パワーアンプ１１と，前記アンダースピーカ５ａ，５ｂ，若しくは前記サイドスピーカ６ａ，６ｂ，又は外部スピーカとを接続するコネクタ，若しくは端子である。
【００１５】
前記マイコン８には前記アンダースピーカ取り付け状態検知機構３，及び前記サイドスピーカ取り付け状態検知機構４各々（以下，これらをまとめて検知機構（３，４）という）から，各スピーカが取り付けられていない状態を表すＬＯＷ信号，もしくは各スピーカが取り付けられている状態を表すＨＩＧＨ信号のうちのいずれかが入力される。
以下，前記検知機構（３，４）を示す図３（ａ），（ｂ）を用いて，その構成について詳細に説明する。
図３（ａ），（ｂ）に示されるように，前記検知機構（３，４）は，電源１３，Ｉ／Ｏ１４，スイッチ部１５，導電板１６，抵抗１７，及びそれらを繋ぐ導線等から構成される。
前記導電板１６は支持部１８により片持ち梁状に支持された可撓性を有する導電性部材であり，その一部１６ａが前記ビス７の先端で押圧されることにより，図２（ｂ）に示されるＲ１の方向に撓む（変形する）。即ち，前記導電版１６は，前記ビス７が前記ビス穴に装着（螺着）されているか否かに応じて，図２（ｂ）に示される変形状態と，図２（ａ）に示される自然状態（元の状態）との間で状態が変化する。
【００１６】
前記スイッチ部１５は，前記導電板１６に設けられた接点１５ａと，接地された接点１５ｂとからなる。前記接点１５ａは，前記導電板１６を介して前記Ｉ／Ｏ１４に接続されるとともに，前記導電板１６及び抵抗１７を介して所定電圧を出力する前記電源１３に接続されている。
そして，前記導電板１６の状態の変化（変形）に伴い，前記スイッチ部１５も図２（ａ）に示される接合状態（前記接点１５ａ，１５ｂが接触した状態）と，図２（ｂ）に示される切離状態（前記接点１５ａ，１５ｂが離間した状態）との間で状態が変化する。
前記ビス７が装着されていない状態では，前記スイッチ部１５が接合状態となり，前記Ｉ／Ｏ１４が接地部に短絡されるため，Ｉ／Ｏ１４に接続された前記マイコン８にはＬＯＷ信号が入力される。一方，前記ビス７が装着されている状態では前記スイッチ部１５の切離状態となり，前記Ｉ／Ｏ１４が前記電源１３によりプルアップされ，前記マイコン８に所定のＨＩＧＨ信号が入力される。
このように，前記アンダースピーカ取り付け状態検知機構３及び前記サイドスピーカ取り付け状態検知機構４は，前記ビス７各々の装着（螺着）有無の検知により前記アンダースピーカ５ａ，５ｂ及びサイドスピーカ６ａ，６ｂ（音声出力手段の一例）の取り付け状態を検知するものである。
【００１７】
以下，図４に示すフローチャートを用いて，スピーカの取り付け状態の判別に基づく音質補正内容の設定処理の手順について説明する。図４に示される各処理は，前記マイコン８が所定の制御プログラムを実行することにより行われ，例えば前記テレビジョン受像機Ｘの電源をオンにした時点，若しくは，リモコン等を用いて所定の操作が入力された場合等に処理が実行される。なお，以下に示すＳ１，Ｓ２，…は，処理手順（ステップ）の識別符号を表す。
本処理では，まず，前記マイコン８により前記検知機構（３，４）からの入力信号各々が，いずれの信号（ＨＩＧＨ信号，ＬＯＷ信号）であるかが判別される（Ｓ１）。
【００１８】
次に，ステップＳ１における判別（即ち，前記検知機構（３，４）によるスピーカ取り付け状態の検知の）結果に基づいて，前記アンダースピーカ５ａ，５ｂが取り付けられているか否か，及びサイドスピーカ６ａ，６ｂが取り付けられているか否か，並びに，いずれのスピーカも取り付けられていないか，が判別される（Ｓ２，Ｓ３）。尚，前記アンダースピーカ取り付け状態検知機構３からの入力信号がＨＩＧＨ信号である場合を，前記アンダースピーカ５ａ，５ｂが取り付けられているものと判別される。
ステップＳ２において前記アンダースピーカ５ａ，５ｂが取り付けられていないと（Ｓ２ＮＯ）判別された場合，ステップＳ３に進み，前記サイドスピーカ６ａ，６ｂが取り付けられているか否か（前記サイドスピーカ６ａ，６ｂが取り付けられているか，若しくはいずれのスピーカも取り付けられていないか）が判別される。尚，前記サイドスピーカ取り付け状態検知機構４からの入力信号がＨＩＧＨ信号である場合が，前記アンダースピーカ５ａ，５ｂが取り付けられているものと判別される。一方，いずれからの入力信号もＬＯＷ信号である場合が，いずれのスピーカも取り付けられていないと判別される。
尚，当該テレビジョン受像機Ｘにおいて，前記アンダースピーカ５ａ，５ｂ及び前記サイドスピーカ６ａ，６ｂが併用されることはなく，前記アンダースピーカ取り付け状態検知機構３，及び前記サイドスピーカ取り付け状態検知機構４の入力信号がいずれもＨＩＧＨ信号である状態は想定しないものとする。
【００１９】
ステップＳ２及びＳ３において，前記検知機構による検知結果に基づいて，いずれのスピーカが取り付けられているか（若しくは，いずれでもないか）が判別されると，その結果に応じて前記ＥＥＰＲＯＭ１０に記憶されている（音質補正の処理の種類及び処理の強度などを表す）設定値が読み込まれ，前記音質補正ＤＳＰ９に対する前記設定値の設定が行われる。
前記設定値は前記音声信号に施される音質補正の内容を特定する情報（音質補正設定情報）であり，音質補正処理（音響特性の調節を実現する処理の具体例）の種類，またはその処理の強度等を示すパラメータ群の総称である。前記設定値は，上述した３通りの判別結果（前記アンダースピーカ５ａ，５ｂが取り付けられているか，前記サイドスピーカ６ａ，６ｂが取り付けられているか，もしくはいずれもないか）に応じて，３通りの設定値（サイドスピーカ用設定値，アンダースピーカ用設定値，無装着用設定値）がそれぞれ前記ＥＥＰＲＯＭ１０に記憶されている。
前記設定値（サイドスピーカ用設定値，アンダースピーカ用設定値，無装着用設定値）各々，言い換えると，前記音質補正ＤＳＰ９（音声音響特性調節手段の一例）による音質補正処理の内容は，前記テレビジョン受像機Ｘに取り付けられているスピーカ（前記アンダースピーカ５ａ，５ｂ，前記サイドスピーカ６ａ，６ｂ，音声出力手段の一例）各々の出力特性（即ち，種類）に応じたものである。
【００２０】
例えば，前記アンダースピーカ５ａ，５ｂを用いる場合は，前記サイドスピーカ６ａ，６ｂを用いる場合に比べて，出力される音声信号の空間的な広がりが弱いものとなる。従って，前記アンダースピーカ５ａ，５ｂが用いられていると判別された場合は，前記前記サイドスピーカ６ａ，６ｂが用いられていると判別された場合よりも，前記音声信号の空間的な広がりを強める処理（つまりサラウンド処理）の度合いを，より大きくする設定値が設定される。
また，例えば，前記アンダースピーカ５ａ，５ｂの容量は前記サイドスピーカ６ａ，６ｂの容量に比べて小さい場合，前記音声信号の低音領域を適切に出力することができない。このような場合，前記アンダースピーカ５ａ，５ｂが取り付けられているいると判別されたときは，前記前記サイドスピーカ６ａ，６ｂが取り付けられていると判別されている場合よりも低音領域を強調する処理（イコライズ処理）の度合いを，より大きくする設定値が設定される。
尚，いずれのスピーカも取り付けられていないと判別された場合には，外部スピーカが用いられていると判断されるが，その外部スピーカがどのような出力特性を有するものかは未知であるため，サラウンド処理を行わず，イコライズ処理をフラットに保持したまま前記音声信号を出力するような設定値が設定される。
【００２１】
ステップＳ２でアンダースピーカが取り付けられていると判別された場合（Ｓ２ＹＥＳ），ステップＳ１１に進み，前記ＥＥＰＲＯＭ１０に記憶されているアンダースピーカ用設定値が読み込まれ，ステップＳ１２において前記アンダースピーカ用設定値が前記音質補正ＤＳＰ９に設定される。
ステップＳ３で前記サイドスピーカ６ａ，６ｂが取り付けられていると判定された場合（Ｓ２ＹＥＳ），ステップＳ２１に進み，サイドスピーカ用設定値が前記ＥＥＰＲＯＭ１０から読み込まれ，Ｓ２２において前記サイドスピーカ用設定値が前記音質補正ＤＳＰ９に設定される。
ステップＳ３で前記サイドスピーカ６ａ，６ｂが取り付けられていないと判定された場合（Ｓ３ＮＯ）にはいずれのスピーカも取り付けられていない（外部スピーカに接続されている）ものとされ，ステップＳ３１に進む。ステップＳ３１では前記無装着用設定値が前記ＥＥＰＲＯＭ１０から読み込まれ（Ｓ１１），前記無装着用設定値が前記音質補正ＤＳＰ９に設定される（Ｓ１２）。
以上のように，前記マイコン８により前記アンダースピーカ５ａ，５ｂ，前記サイドスピーカ６ａ，６ｂのいずれが取り付けられているか，若しくはいずれもスピーカも取り付けられていないかが判別され，その判別結果に応じて前記音質補正ＤＳＰ９による音響特性の調節処理が行われる。
【実施例】
【００２２】
上述の実施形態では，本発明に係る音響特性調節装置がテレビジョン受像機に適用される例についてを開示したが，例えば複数のスピーカ取り付け位置を有するラジオにも転用が可能であるし，同様にＣＤプレーヤ，レコードプレーヤ，コンポ等にも転用が可能である。
また，ビスが絶縁体である場合，スピーカ（音声出力手段の一例）の取り付け状態の検知機構を以下のように構成することが可能である。即ち，前記検知機構の回路の一部を，可撓性を有する２つの導電体がお互いに弾性付勢されるように構成しておき，前記ビスがビス穴に装着（螺着）された状態において前記導電体の間に割り込むことによりそれらの弾性付勢を解除するものとする。これにより，前記ビスの装着有無によって前記回路の通電状態が変化されるので，このような変化に基づいて前記ビスの装着有無，即ちスピーカの取り付け状態が検知される。
更に，ビス等の間接的な手段を用いなくとも，直接的に音響機器に取り付ける場合も考え得る。その場合，音響機器の前記スピーカが接触される面などにスイッチを設けておき，前記スピーカが前記音響機器に取り付けられた際に前記スイッチが押圧されるのを検知することにより，前記スピーカの取り付けを検知するものとする例などが考えられる。
【図面の簡単な説明】
【００２３】
【図１】本発明の実施の形態に係る音響機器の一例であるテレビジョン受像機Ｘにおけるスピーカ無装着時とアンダースピーカ装着時とサイドスピーカ装着時の各々における概略背面図。
【図２】テレビジョン受像機Ｘが備える音響特性調節装置Ａを含む音声出力回路αの概略構成を表すブロック図。
【図３】テレビジョン受像機Ｘにおけるスピーカ（アンダースピーカ，サイドスピーカ）の取り付け状態検知機構を示す図。
【図４】音響特性調節装置Ａにおけるスピーカの取り付け状態の判別に基づく音質補正内容の設定処理の手順を示すフローチャート。
【符号の説明】
【００２４】
Ａ…本発明の実施の形態に係る音響特性調節装置
Ｘ…音響特性調節装置Ａを備えたテレビジョン受像機
α…音響特性調節装置Ａを備えた音声出力回路
１ａ，１ｂ…アンダースピーカ用取り付け位置（左，右）
２ａ，２ｂ…サイドスピーカ用取り付け位置（左，右）
３…アンダースピーカ取り付け状態検知機構
４…サイドスピーカ取り付け状態検知機構
５ａ，５ｂ…アンダースピーカ（左，右）
６ａ，６ｂ…サイドスピーカ（左，右）
７…ビス
８…マイコン
９…音質補正ＤＳＰ
１０…ＥＥＰＲＯＭ
１１…パワーアンプ
１２…スピーカ（ＳＰ）ターミナル
１３…電源
１４…Ｉ／Ｏ
１５…スイッチ部
１６…導電板
１７…抵抗
１８…支持部
【図１】
2006109284.tif 000003
【図２】
2006109284.tif 000004
【図３】
2006109284.tif 000005
【図４】
2006109284.tif 000006